Podtech/llm-jp-corpus-v4-ja_patent huggingface dataset:
(57)【要約】【課題】  電気ボックスの開口をする時は、位置が分かりずらく、開口しにくく、電線を傷つけやすく、大変時間がかかった。【解決手段】  ボックス５に、工具１を取り付けてホルソー等で開口をする。【選択図】  図１
0003110862.tif 000002
【実用新案登録請求の範囲】
【請求項１】
電気ボックスに取り付ける事により、丸型塗代の開口を大変短時間に作業が行うことが出来る事を特徴とする開口サポート工具。
【考案の詳細な説明】
【技術分野】
【０００１】  この考案は、石膏ボード等６の開口時に用いる工具の形状に関する。
【背景技術】
【０００２】  従来のボード等６の開口は図面上から電気ボックス５の位置を出して、引き回し等でボード６の開口をするものである。
【考案の開示】
【考案が解決しようとする課題】
【０００３】  しかしながら、以上の技術によれば、ボード６の開口をするにあたり引き回し等で開口するので、ボックス５の中の電線を傷つけることや開口するのに大変時間がかかっていた。
そこで、この考案は、ボード６の開口をするのに電線を傷つけず、迅速に作業が出来ることを提供することを課題とする。【０００４】  また、以上の技術によれば、開口するに当たり大変面倒な位置出しをして、合っているか、間違っているか判らない場所に引き回しを差して、開口をしていた為、大変時間がかかり確実性にかけていた。
そこで、この考案は、ボックス５の位置がすぐに判るようにすることを提供することを課題とする。
【課題を解決するための手段】
【０００５】  以上の課題を解決するために、この考案は、電気ボックス５の芯に取り付けることを特徴とする工具である。
【考案の効果】
【０００６】  石膏ボード６を張られる前にこの工具を取り付けていれば、ボード６張り後は図２のようになり、ボックスの芯及び位置がすぐに分かる。また、工具の芯に穴が開いているため図３のようにホルソー等７で簡単に開口が出来る。しかも、ホルソー７の芯は工具の中にあるため電線を傷つけることなく、かなりの時間短縮の作業になる
【考案を実施するための最良の形態】
【０００７】  この考案の一実施形態を、図１に示す。
工具の本体１は硬質プラスチック製であり、この本体１の下側２は丸みをおびながらとがっている。上側３は３分の雄ねじが切ってある。本体１の芯の穴４は６ミリの穴が開いている。【０００８】「実施形態の効果」
この実施形態によれば、丸めの先端２でボード６を貫通しやすく、また、けがもしにくい。上側３は３分のねじが従来のボックス５に合うようになっている。本体１の芯の穴４はホルソー７等で開口を開けても電線を傷つけず、ぶれることなく綺麗に確実に早く開ける事が出来る。【０００９】「他の実施形態」
図１の実施形態では、上部３のねじは雄ねじであったが、他の実施形態では、雌ねじのものでもよい。
【図面の簡単な説明】
【００１０】
【図１】この考案の一実施形態を示す斜視図である。
【図２】設置方法を示す斜視図である。
【図３】使用方法を示す斜視図である。
【符号の説明】
【００１１】    １  工具本体                ２  工具先端部              ３  工具上部
４  工具芯穴                ５  電気ボックス            ６  石膏ボード
７  ホルソー
【図１】
0003110862.tif 000003
【図２】
0003110862.tif 000004
【図３】
0003110862.tif 000005
【手続補正書】
【提出日】平成17年2月18日(2005.2.18)
【手続補正１】
【補正対象書類名】実用新案登録請求の範囲
【補正対象項目名】全文
【補正方法】変更
【補正の内容】
【実用新案登録請求の範囲】
【請求項１】
本体をパイプ状にして片側にＷ３／８の雄ネジを設けたことを特徴とする開口サポート工具。
(57)【要約】      （修正有）【課題】入浴後浴室において、濡れた体に空気を吹き付けて水滴を落とし、バスタオルの使用頻度を軽減する。【解決手段】使用する時はコンプレッサーから配管、ホースで導かれた圧搾空気をレバー２を押すことにより弁を開き、棒状のエアガン本体１と横に複数の噴射口４を有するノズル３をネジ部５により合体させる。ノズル３の先端は閉じられており横の複数の噴射口から噴射する。すると空気の幕ができてこれを体に向けて動かすと髪や体の水滴を掃く様におとしていく。【選択図】図４
0003110868.tif 000002
【実用新案登録請求の範囲】
【請求項１】
ノズルの横に、複数の噴射口を有する、手持ち式空気噴射器。
【考案の詳細な説明】
【技術分野】
【０００１】  本考案は、入浴後、体の水滴を落とす、手持ち式空気噴射器に関するものである
［背景技術］【０００２】  従来は、浴室で水滴を落とす技術がなく、浴室から濡れたからだのまま、脱衣所に出てマットの上でバスタオルを使い体をふいていた。
［考案の開示］
［考案が解決しようとする課題］【０００３】  バスタオルは大きく洗濯が大変である。【０００４】  濡れたままの足でマットに乗ると、他人から水虫等に感染する可能性がある。【０００５】  髪や体にバスタオルの綿毛が付着することがある。【０００６】  浴室の足元は濡れていて滑りやすい。
［課題を解決するための手段］【０００７】  本考案を使用する時は、図４のように、レバー２を押してノズル３に設けた複数の噴射口から空気を噴射する、すると空気の幕ができてこれを体に向けて動かすと、髪や体の水滴を掃くように落としていく。
［考案の効果］【０００８】  本考案を使用する事によって体の水滴がほとんど落ちてしまうので、バスタオルで拭く必要が激減する。したがって洗濯の回数が少なくてすむ、また濡れた足で脱衣所のマットに上がることがないので湿ったマットの不快感も減少し、マット仲介による水虫感染の可能性も減少する。また浴室の床に吹き付けることによって、すべり転倒を予防し浴室の壁、天井、鏡の水滴を落とし乾燥を速めることができる。
［考案を実施するための最良の形態］【０００９】  本考案を使用する時は、コンプレッサーから配管、ホースで導かれた圧搾空気を図４のようにレバー２を押すことにより弁を開く、棒状のエアガン本体１と横に複数の噴射口４を有するノズル３をネジ部５により合体させる。ノズル３の先端は閉じられており横の複数の噴射口から噴射する。
【図面の簡単な説明】
【００１０】［図１］
本考案の正面図である。
［図２］
本考案の分解平面図である。
［図３］
ネジ部の正面図である。
［図４］
本考案の使用状態を示す斜視図。
【符号の説明】
【００１１】１    エアガン本体
２    レバー
３    ノズル
４    噴射口
５    ネジ部
６    ホース
７    手
【図１】
0003110868.tif 000003
【図２】
0003110868.tif 000004
【図３】
0003110868.tif 000005
【図４】
0003110868.tif 000006
(57)【要約】      （修正有）【課題】パチンコ、パチスロ店の床に落ちているメダルを腰をかがめ手で拾い取ることなく、作業が出来る用具を提供する。【解決手段】棒１の先端にヘラ板２を形成しその底面に吸着シート３を設けた。【効果】腰をかがめる必要がなく、お客の邪魔をせずに歩きながらメダルを拾うことができる。【選択図】図１
0003110876.tif 000002
【実用新案登録請求の範囲】
【請求項１】
棒（１）の先端にヘラ板（２）と吸着シート（３）を取り付けたメダル取り棒
【考案の詳細な説明】
【考案の詳細な説明】
この考案は、棒の先端にヘラ板と吸着シートを取り付けたものである。従来は床に落ちているメダルをお客様とお客様との間等を腰をかがめ、手を伸ばして拾わなければならなかった。
本案はその欠点を除くために考案したもので図面について説明すれば、棒（１）の先端にヘラ板（２）とその底面に吸着シート（３）を取り付ける。
本案はこのような構成であるから腰をかがめる必要がなく、お客様の邪魔をせずに歩きながらメダルを拾うことが出来る。
【図面の簡単な説明】
【図１】  本案の斜視図
【図２】  本案を底から見た斜視図
【符号の説明】
１  棒
２  ヘラ板
３  吸着シート
【図１】
0003110876.tif 000003
【図２】
0003110876.tif 000004
(57)【要約】      （修正有）【課題】豪雪地域における屋根上雪害対策用融雪器で、取り扱い簡便で、しかも、電磁波の漏洩が無い省電力型電磁誘導発熱体から成る屋根上積雪防止用融雪器を提供する。【解決手段】電磁誘導発熱体を調整脚８で傾斜角度を調整して屋根上の固定台（図示せず）に融雪面積に応じた個数を設置し、励磁コイル４を中間ターミナルに接続し、電源スイッチを入れて高周波電源調整装置及び温度制御装置（図示せず）の作動条件を設定する。【選択図】図１
0003110875.tif 000002
【実用新案登録請求の範囲】
【請求項１】
発熱用金属薄板と励磁コイルを配線した軟磁性フェライトと樹脂から成る横断面がＥ字型複合成形体の電磁コアと中央に開口部を有する絶縁性固定板とを一体化した構造の電磁誘導発熱体を傾斜調整脚と組み合わせたことを特徴とする屋根上積雪防止用融雪器。
【考案の詳細な説明】
【考案の詳細な説明】
【技術分野】
【０００１】  本考案は、屋根上積雪防止用融雪器に関する。
【背景技術】
【０００２】  従来の屋根用融雪器の発熱体は、絶縁物で被覆した電熱コイルを用いた電気ヒーター方式のものが知られている。
【考案が解決しようとする課題】
【０００３】  しかしながら、電気ヒーター方式は、電熱導線に生じるジュール熱を利用するもので、被加熱体に直に接触させると漏電するので危険であるから電熱導線は耐熱性絶縁物で被覆したものが用いられている。そのために、発熱した熱は被覆層を介して外部に伝導するので熱効率が低く電力効率も低いと言う欠点がある。さらに、電熱導線は発熱により消耗するので断線が避けられないために、断線故障の修繕工事に多くの手間と時間と費用を要すると言う欠点がある。一方、屋根上積雪防止用融雪器に電磁誘導発熱体を用いた例は無いが、電磁誘導発熱体の使用に際しては漏洩電磁波の防止が課題となる。
【課題を解決するための手段】
【０００４】  本考案は、発熱用金属薄板と励磁コイルを配線した軟磁性フェライトと樹脂から成る横断面がＥ字型複合成形体の電磁コアと中央に開口部を有する絶縁性固定板とを一体化した構造の電磁誘導発熱体を傾斜調整脚と組み合わせたことを特徴とする屋根上積雪防止用融雪器と言う図１に示す構成を具備することにより、即ち、本考案は、電磁コアに配線した励磁コイルに高周波電流を通電すると電磁コアから高周波磁界が発生し電磁コアと向き合った金属板に渦電流を誘導して金属板を発熱させると言う電磁誘導加熱法の原理に基づき、また、電磁コアと発熱用金属板が形成する磁気回路が電磁波を閉じ込める作用により電磁波の漏洩を防止すると言う発熱体を屋根上に設置することにより屋根上に降る雪を発熱した金属板で直接融かし、また、電磁コアも励磁コイルも消耗して故障することがないので補修工事の手間や経費を節減できると言う屋根上積雪防止用融雪器を実現したことにより、上記課題を解決するものである。
【実施例】
【０００５】  図１に本考案の屋根上積雪防止用融雪器の構造を示す。  図１において、発熱用金属板１として縦横１０００ｍｍで厚み０．３５ｍｍのステンレス板、絶縁固定板２として厚さ５ｍｍで中央部に電磁コア３を発熱金属板に接触させるための開口部を設けた木製板、電磁コア３として長さ１００ｍｍ、高さ２５ｍｍ、幅６０ｍｍのマンガン亜鉛系フェライト粉体と１２ナイロン樹脂から成る複合成型体で横断面がＥ字型の電磁コア、そして、励磁コイル４は電気容量が１００Ｖ５Ａのエナメル被覆３３芯銅線を用いて電磁コア３に３巻線したものを用い、夫々、発熱用ステンレス板１は木製固定板２に留め具７で固定し、励磁コイル４を巻線した電磁コア３は固定バンド５を用いて木製固定板２にバンド留め具６で固定し、そして、木製固定板２に傾斜角度調整脚８を取り付けた。【０００６】  次に、実施態様を示す図３の電気結線図において、１００Ｖの交流電源１０とスイッチ１１及び出力調整器とインバーターを内蔵した高周波電源調整装置１２から成る電源回路の中間ターミナル１３に励磁コイル４を接続し、１００Ｖ交流電源のスイッチ１１を入れ、高周波電源調整装置１２を調節してインバーターの出力周波数を１０ＫＨｚとし励磁コイル４への入力電力を５０ワットで通電し、熱電対と熱電温度計から成る温度制御装置（共に図示せず）を用いて制御温度を１００℃に設定してステンレス発熱板１の表面温度を測定した。また、電磁波の漏洩はＦＭラジオを用いて雑音発生の有無で観測した。【０００７】  励磁コイル４に通電して１分後、電磁コア３の真上部分の温度が７０℃に、そこから５０ｍｍ離れた部分が６０℃に、さらに電磁コア３から離れると温度は低下し、２００ｍｍまで離れた所で室温と同じ２２℃を示した。また、５分後には電磁コア３の真上部分の温度が９０℃となり、室温２２℃に至る発熱部分の面積は電磁コア３の真上から半径３００ｍｍに広がった。また、発熱器の近傍に置いたＦＭラジオは雑音を生じなかった。【０００８】  これ等の結果は、本考案の発熱体は発熱が急速で、且つ、到達温度も環境温度である室温との温度差が大きいことを示しているので、激しい降雪にも即応できる優れた融雪性能を有し、電磁波の漏洩も無いことを示すものであった。【０００９】  また、図３に本融雪器を屋根上に設置した実施態様を模式図で示した。本融雪器は傾斜調節脚７により屋根上に設けた固定台（図示せず）に傾斜を調節して簡単に設置することができ、発熱体の数も屋根の大きさや構造などに応じて必要な数だけ設置すればよく、電源も家庭用電源に接続すればよいことを示した。
【考案の効果】
【００１０】  本考案に係る屋根上積雪防止用融雪器の電磁誘導発熱体は、発熱体として金属薄板と励磁コイルを配した軟磁性フェライトと樹脂から成る絶縁性複合電磁コアを用いたことにより電磁誘導で発生する漏洩電磁波を防止し、電磁コア及び発熱金属薄板を絶縁性固定板で固定したことにより強風にも耐えられる安定した構造とし屋根上への設置を可能にした。また、屋根上に降る雪を直接融解して積雪を防止する効果を発揮し、同時に、高い熱効率による大きな節電効果をもたらす。また設置に際しては、瓦ぶきでも、トタン屋根でも、茅ぶき屋根など何れの屋根にも最適な傾斜角度に調整して設置でき、さらに、組み立てや取り外しも簡便に行えるので施工が容易である。また、電源及び制御装置には家庭用電源と汎用の高周波調整装置と温度制御装置を用いることができ特殊な電源装置は不要なので設置コストもランニングコストも節減できる等の効果がある。
【図面の簡単な説明】
【００１１】
【図１】本考案に係る発熱体構造物の横断面図である。
【図２】本考案に係る融雪器の背面図である。
【図３】本考案に係る実施態様を示す模式図及び励磁コイルの電気結線図である。
【符号の説明】
【００１２】１・・・発熱用金属板
２・・・絶縁性固定板
３・・・電磁コア
４・・・励磁コイル
５・・・電磁コア固定バンド
６・・・電磁コア固定バンド留め具
７・・・発熱用金属板留め具
８・・・屋根上取り付け傾斜角度調整脚
１０・・交流電源
１１・・電源スイッチ
１２・・高周波電源調整装置
１３・・中間ターミナル
１４・・導線
【図１】
0003110875.tif 000003
【図２】
0003110875.tif 000004
【図３】
0003110875.tif 000005
(57)【要約】【課題】大物用の固定型天秤を折りたたみ式に変えて、持ち運びを便利にする。【解決手段】ハリス用アーム１と小リング７を経て、錘用アーム２と連結した合体アーム１，７、２に、道糸用アーム３と、はめ込み用アーム４からなる合体アーム３、４，５を回転可能のように取り付け、はめ込み用アーム４の先端湾曲部分５にハリス用アーム１を脱着することにより、ワンタッチで折りたたみを可能にした。【選択図】図２
0003110873.tif 000002
【実用新案登録請求の範囲】
【請求項１】
ハリス用のアーム〔ステンレス腕体〕と錘用のアームとが、連結部で小リングをつくるようにＬ型に連結した合体アームに、道糸用アームに先端に湾曲部〔フック〕を持つはめ込み用アームが連結した合体アームが回転可能な形で取り付けられ、ハリス用アームをはめ込み用アームに脱着することによりワンタッチで折りたたみを可能にし、かつ、糸の絡みをなくした天秤
【考案の詳細な説明】
【技術分野】
【０００１】従来の固定型ちどり式天秤に、アームの回転とはめ込み用アームを加え、ワンタッチで折りたたみを可能にした。
【背景技術】
【０００２】固定型では大物釣りの場合、天秤の全長が１ｍ以上にもなり、持ち運びが不便であり、かつ、糸の絡みが多く見られた。
【考案が解決しようとする課題】
【０００３】特に大物釣りの場合、携帯不便で糸が絡みやすい大型天秤の難点を解決しようとするものである。
【課題を解決するための手段】
【０００４】ハリス用アームと錘用アームを連結した合体アームＡと，道糸用アームとはめ込み用アームを連結した合体アームＢで構成し、合体アームＢを合体アームＡに回転可能な形で取り付け、はめ込み用アームにハリス用アームを脱着することにより、ワンタッチで折りたたみを可能にし、携帯の不便さと糸の絡みを解消している。
【考案の効果】
【０００５】１ｍ以上に及ぶ大物用の天秤が折りたたんで持ち運びできるようになり，また、天秤の３個の小リングを通して道糸とハリスが直結する仕組みになるので、糸の絡みもなくなり非常に効果的である。
【実施例】
【０００６】手製のこの折りたたみ式天秤を用いて大物釣りを楽しんでいる。
【図面の簡単な説明】
【０００７】
【図１】従来の固定型ちどり式天秤
【図２】ハリス用アームをはめ込み用アームに着装した時の図である。
【図３】ハリス用アームをはめ込み用アームから離脱させ、折りたたんだ時の図である。
【符号の説明】
【０００８】  １．  ハリス用アーム
２．  錘用アーム
３．  道糸用アーム
４．  はめ込み用アーム
５．  脱着用湾曲部〔フック〕
６．７．８．  糸を通す小リング
【図１】
0003110873.tif 000003
【図２】
0003110873.tif 000004
【図３】
0003110873.tif 000005
(57)【要約】      （修正有）【課題】常温、特に夏場に缶や紙コップ、ペットボトルに入った飲み物の温度を上がりにくくするドリンク保冷パックの提供。【解決手段】吸熱反応で冷却する２剤混合系の冷却袋を筒状に加工し、飲料缶や紙コップ、ペットボトル等を筒内に挿入することで中の飲み物が保冷される。【選択図】図２
0003110879.tif 000002
【実用新案登録請求の範囲】
【請求項１】
吸熱反応で冷却する２剤混合系の冷却袋を筒状に加工し、飲料缶、紙コップ、ペットボトル等を筒内に挿入することで中の飲み物が保冷される保冷パック。
【考案の詳細な説明】
【考案の詳細な説明】
【考案が解決しようとする課題】
【０００１】常温、特に夏場は缶や紙コップ、ペットボトルに入った飲み物は時間の経過と共に温度が上がってしまう。
【効果を解決するための手段】
【０００２】吸熱反応で冷却する２剤混合系の冷却袋を筒状に加工し、飲料缶や紙コップ、ペットボトル等を筒内に挿入することで中の飲み物が保冷されるれる。
【考案の効果】
【０００３】飲料缶や紙コップ、ペットボトル等をドリンク保冷パックに挿入することで中の飲み物が保冷され清涼感が持続する。
【図面の簡単な説明】
【図１】考案したドリンク保冷パックの概観図である。
【図２】考案したドリンク保冷パックに飲料缶を挿入した使用状況を示す図である。
【図１】
0003110879.tif 000003
【図２】
0003110879.tif 000004
(57)【要約】      （修正有）【課題】上部両端を結びあわせた場合に完全な封鎖ができ又持ち運びが便利なゴミ袋を提供する。【解決手段】開口部上部から、結び帯と持ち手を兼ね備えた４本の切り込みを入れる。【選択図】図１
0003110880.tif 000002
【実用新案登録請求の範囲】
【請求項１】
一般家庭等で使用される底部が閉塞され、上部を開口したポリエチレン製等のゴミ袋の上部口部分を簡単に縛られ、持ち手が得られるゴミ袋。
【請求項２】
ゴミ袋上部開口部分に左右対称に切り込みが設けられて切り込み端部がＵ字型になっている結び帯を有する請求項１に記載のゴミ袋。
【請求項３】
切り込みにより離れている結び帯の左右２ヵ所の内側に逆Ｕ字型の切り込みが入っている請求項１に記載のゴミ袋。
【考案の詳細な説明】
【考案の詳細な説明】
【技術分野】
【０００１】本考案はゴミを入れるためのゴミ袋の改良に関するものである。
【背景技術】
【０００２】従来、一般においてゴミを収集するゴミ袋はレジ袋の形状もしくは筒状に形成され底部が閉塞され上部に開口部だけが設けられている。【０００３】従来、ゴミ袋の開口部は袋の上部両端を結び合わせて封鎖しているが、ゴミの量が増えたときは結ぶことができなくなる。【０００４】上部両端を結びあわせた場合に不完全な封鎖が多く又持ち運びが不便である。【０００５】レジ袋の場合結び帯が左右２ヶ所しかなく、結び帯が短いため結ぶことができなく、持ち手を結んでいる。【０００６】又前記問題点はゴミ収集場での散乱、水ぬれ、悪臭といった問題を引き起こしている。ごみ収集場の汚れは、収集する係員の作業に支障を来たすばかりでなく、周辺の美化、環境も損ねている。
【考案が解決しようとする課題】
【０００７】本考案は従来の有する問題点を改善するもので袋体の開口部に結び帯と持ち手を設け開口部を簡単に結び合わせることができ、持ち運びが楽にできるようにしたゴミ袋を提供する物である。
【問題が解決するための手段】
【０００８】前記目的を解決するために開口部上部から、結び帯と持ち手を兼ね備えた４本の切り込みが入ったゴミ袋を提供する物である。
【考案の実地の形態】
【０００９】袋体にゴミを収容し、結び帯を左右対称に縛る。又２方向に逆Ｕ字型になる物ができ、それが持ち手になる。
【実地例】
【００１０】以下本考案の実地例を図面に基づいて説明する。
【００１１】本考案のゴミ袋は、図１に示す用に一方の端部を開放して製袋してなるポリエチレン等の半透明ゴミ袋であって、上部開放部に４本の切り込みを設け、Ａ〜Ｄの４個の辺を設けた物である。
【図面の簡単な説明】
【００１２】
【図１】本考案の全体像
【図２−１】本考案の実施像１
【図２−２】本考案の実施像２
【符号の説明】
（Ａ）    結び帯１
（Ｂ）    結び帯２
（Ｃ）    結び帯３
（Ｄ）    結び帯４
（Ｅ）    切り込み
（Ｆ）    取っ手
（Ｇ）    裂け防止用丸穴
【図１】
0003110880.tif 000003
【図２−１】
0003110880.tif 000004
【図２−２】
0003110880.tif 000005
(57)【要約】［課題］  本考案の電動ハブラシは、口腔内で自由自在に、歯を細部にわたり清掃し、歯垢除去率と操作性を向上させることにある。［解決手段］  本考案は、従来の電動ハブラシと異なり、電動ハブラシのヘッド部１ａで、ブラシ毛を植毛した複数のビ−ズ状のブラシ（ブラシ・ボ−ル）２が回転することにより、口腔内の歯を清掃する。この小さなヘッド１ａと回転するブラシ・ボ−ル２による効用で、口腔内の歯垢除去率と操作性を大きく向上させる。［選択図］  図１【実用新案登録請求の範囲】
【請求項１】
ブラシ毛が植毛された小さなビ−ズ状ブラシ（ブラシ・ボ−ル）を有するヘッド部で、このブラシ・ボ−ルが回転することで、口腔内の歯をブラッシングする電動ハブラシである。
尚、本体は、ヘッド部、シャフト部、ハンドグリップ部の３構成から成る。
【考案の詳細な説明】
【技術分野】
【０００１】本考案は、歯ブラシに係り、特に、ブラシ毛が植毛されたビ−ズ状のブラシ（ブラシ・ボ−ル）を有するヘッド部において、このフラシ・ボ−ルが回転することで歯を磨く、電動ハブラシである。
［背景技術］【０００２】従来の電動ハブラシは、ブラシの部が把手の軸方向前後又は左右に動くか、あるいは、２次元的に回転するように構成されていた。そのため、口腔内で歯を清掃するブラシ部は、比較的に大きい。
［考案の開示］
［考案が解決しようとする課題］【０００３】従来の電動ハブラシは、ブラシ毛を有するブラシ部が、比較的に大きいため、口腔内で細部にわたって自由自在に歯を清掃することが難しく、また、口腔内の操作性も良くない。この口腔内の細部にわたる歯の清掃能力と自由な操作性を向上させることである。
［課題を解決させるための手段］【０００４】本考案は、電動ハブラシのブラシ部に、ブラシ毛が植毛されたビ−ズ状のブラシ（ブラシ・ボ−ル）を内蔵するヘッドを有し、このブラシ・ボ−ルが回転することで、口腔内の歯清掃する。これにより、回転する小さなブラシ・ボ−ルが歯の細部にわたり清掃しまた、小さなヘッドが、口腔内を自由自在に移動可能にし、問題点を解決している。
［考案の効果］【０００５】上述のように、本考案は、従来型の電動ハブラシに比較して、回転するフラシ・ボ−ルによる清掃効力によって、細部にわたり歯の清掃が可能となる。また、小さなヘッド部の製作が可能になるため、口腔内の自由な移動も可能となり、総じて口腔内の歯垢除去に関して大きな効果を得る。
［考案の実施するための最良の形態］【０００６】回転するブラシ・ボ−ルを有する、小さなヘッド部を口腔内に挿入して歯ミガキをする電動ハブラシであるが、ブラシ・ボ−ルは、内部で縦と横のピンによってつながれ、作動スイッチを押すことでこの回転が生じる。
また、この回転するブラシ・ボ−ルは、歯の細かな小渦・裂溝に及び、能率よく清掃し歯垢を取り除くことが可能である。
［実施例］【０００７】以下、添付図面に従って−実施例を説明する。
図１は、本発明の電動ハブラシの正面図である。
図２は、電動ハブラシの−部切欠断面図である。
図３は、ヘッド部の拡大図であり、図４は、ブラシ・ボ−ルの拡大図である。【０００８】本電動ハブラシは、主として、ヘッド１ａとシャフト１ｂとハンドグリップ１ｃにより構成されている。また、ヘッド１ａとシャフト１ｂは、ハンドグリップ１ｃに対して着脱可能である。ブラシ毛が植毛されたブラシ・ボ−ル２ａは、ヘッド１ａとシャフト１ｂ内にある、ピン（縦）３ａとピン（横）３ｂによって支えられ、回転することができる。【０００９】ハンドグリップ１ｃは、その外壁を構成する外筒内に、モ−タ４、モ−タの回転力を伝る支軸１０を介してピン（縦）とピン（横）３ｂを通じてブラシ・ボ−ルの回転運動に変換する変換機構６、電源である電池５を内蔵している。変換機構６は、中間歯車９等に挟まれて配置され、支軸１０を介して、ブラシ・ボ−ルに回転機能を与える役目をする。【００１０】支軸１０の基端に、電池５の−方の電極に接続される導電板が接触されている。
８は、リ−ドスイッチ、７ｂは、スイッチ・ノブである。
この実施例の電動ハブラシは、スイッチ７ａを押すと作動する。
【図面の簡単な説明】
【００１１】    ［図１］本考案の電動ハブラシの−実施例を示す正面図である。
［図２］本電動ハブラシの−部切欠断面図である。
［図３］本電動ハブラシのヘッド部の拡大図である。
［図４］本電動ハブラシにおけるブラシ・ボ−ルの拡大図である。
【符号の説明】
【００１２】  １ａ  ヘッド
１ｂ  シャフト
１ｃ  ハンドグリップ
２    ブラシ・ボ−ル
３ａ  ピン（縦）
３ａ  ピン（横）
４    モ−タ
５    電池
６    変換機構
７ａ  スイッチ
７ｂ  スイッチ・ノブ
８    リ−ドスイッチ
９    中間歯車
１０  支軸
【図１】
0003110877.tif 000002
【図２】
0003110877.tif 000003
【図３】
0003110877.tif 000004
【図４】
0003110877.tif 000005
【手続補正書】
【提出日】平成17年3月16日(2005.3.16)
【手続補正１】
【補正対象書類名】実用新案登録請求の範囲
【補正対象項目名】全文
【補正方法】変更
【補正の内容】
［書類名］  実用新案登録請求の範囲
［請求項１］
ヘッド部、シャフト部、ハンドグリップ部から成る電動歯ブラシであって、ヘッド部がブラシ毛が植毛された小さなビーズ状ブラシを有し、このビーズ状ブラシが回転することで、口腔内の歯をブラッシングする電動歯ブラシ。
(57)【要約】      （修正有）【課題】実物を模した走行と操舵が手元で制御出来る走行玩具システムを提供する。【解決手段】絶縁体の帯部B-1と陽極および陰極電源平板部B-2およびB-3を持つ走路用電源床B-0と、同床上に置かれた遠隔制御走行が可能とする装置P-0ユニットを組み込んだ走行体と手元操作コントロールボックスC-0から構成される。走行玩具システムのうちの可動装置化のそれぞれのユニットを組み込み完成させる事で走行を可能にして遊ぶ事が出来る。【選択図】図１
0003110872.tif 000002
【実用新案登録請求の範囲】
【請求項１】
平面板状の陽極、陰極の２面の可変電圧コントロール可能な電源および同２面の間に絶縁体の帯を有する走路用電源床上に、既成のプラスチック飛行機模型内部に接地面の電導体車輪等からの受電によるモーターでのプロペラ走行を可能とするそれぞれのユニットと当該走行体内部に無線遠隔制御による操舵等が可能な制御ユニットと受信機および受信機用ならびに制御ユニット用小型電池のそれぞれのユニットを組み込み完成された走行玩具を置き、該走路用電源床に接続された遠隔操縦手元コントローラーにより該走行玩具を走行および停止ならびに方向転換による地上滑走を行い、あるいは上下する棒により該走行体の部分を浮き上がらせながらの擬似離着陸姿勢での走行を行う事を可能とした走行玩具システム。
【考案の詳細な説明】
【技術分野】
【０００１】
本考案は、走行モーター用電源を本体側に有せず走路用電源床からの受電により小型で遠隔制御走行が可能とする装置ユニットを組み込んだ走行玩具および走路用電源床に関する走行玩具システムである。
【背景技術】
【０００２】
既成のプラスチック製模型飛行機キットは走行出来るものが皆無に等しい。
【０００３】
モーター用電源として本体内部に小型電池等を組み込みプロペラを回転させているが、小容量モーターの為に走行までは可能とならない。
【０００４】
プラスチック製模型飛行機キットの胴体の内部スペースの関係上、駆動モーターおよび同電池を設置し、なお且つ遠隔制御受信機器ならびに可動装置および制御機器用電池等のユニットが入りきらない種類の飛行機模型が多い。
【特許文献１】00
【考案の開示】
【考案が解決しようとする課題】
【０００５】
解決しようとする問題点は、従来の飛行機型小型プラスチック製精密模型は置物として観賞するのみで動きを見れないという問題点を有していた。
【課題を解決するための手段】
【０００６】
本考案は、上記課題に対して電圧コントロール付きの走路用電源床上に接地した降着装置のタイヤを集電子とした事で走行体に電気容量の大きい小型モーターを動力としたプロペラによる推力で走行可能とし、また無線制御による走行体の姿勢制御を可能にした特徴を持つ走行玩具システムである。
【考案の効果】
【０００７】
本考案は多種類の既成のプラスチック製模型飛行機キットに組み込む事が出来、また縮小率の違いによるキット胴体内部の収納容積の大小によって可動装置化のユニットの多少を選択する事が出来、汎用性がある。
【考案を実施するための最良の形態】
【０００８】
既成のプラスチック製模型飛行機キットを多大な改造を必要とせずに走行玩具システムのうちの可動装置化のそれぞれのユニットを組み込み完成させる事で走行を可能にして遊ぶ事が出来る。
【実施例１】
【０００９】
図１は、本考案システムの実施例１の鳥瞰図であって、B-1の絶縁体の帯部とB-2およびB-3の陽極および陰極電源平板部を持つB-0の走路用電源床と、同床上に置かれたP-0の遠隔制御走行が可能とする装置ユニットを組み込んだ走行体とC-0の手元操作コントロールボックスから構成される。
【実施例２】
【００１０】
図２は、本考案システムの実施例２のC-0の手元操作コントロールボックスの拡大図にあってC-1は走路用電源床に有線で電圧を可変に供給するレバーとし、C-2は走行体の無線による方向制御のスイッチとし、C-3は走行体の無線による離着陸姿勢制御のスイッチを有するものである。
【実施例３】
【００１１】
図３は、本考案システムの実施例３のP-0のプロペラ機模型の走行体にあって、P-1のプロペラとP-2の同駆動用のモーターであり、P-3およびP-4の集電子とした導体タイヤから脚柱を介しP-2の駆動用のモーターに配線されている。
【００１２】
また、P-5の受信機用バッテリーとP-6の受信機を介したP-7の制御によるP-8の上下する棒とP-9の制御によるP-10の方向操舵とで構成される。
【実施例４】
【００１３】
図４は、本考案システムの実施例４のP-0のジェット機模型の走行体にあって、P-1のプロペラとP-2の同駆動用のモーターであり、P-3およびP-4の集電子とした導体タイヤから脚柱を介しP-2の同駆動用のモーターに配線されている。
【００１４】
また、P-5の受信機用バッテリーとP-6の受信機を介したP-7の制御によるP-8の上下する棒とP-9の制御によるP-10の方向操舵とで構成される。
【実施例５】
【００１５】
図５は、本考案システムの実施例５のP-0の走行体の概念図であって、図５−１は走行体の地上走行状態を示しP-8の棒が胴体内部に収納されP-10の方向操舵輪が接地し走行体の方向を変える事が出来る体勢とし、図５−２はP-8の棒がP-10よりも突出し、走行体を押し上げて離陸、着陸の体勢を模擬的に再現出来る事を表わしている。
【産業上の利用可能性】
【００１６】
既成のプラスチック製模型飛行機キットと当該考案の装置との双方の販売拡大を容易に想像出来、模型、玩具メーカーの活性化に結びつき、使用者にとっても幅広く楽しめる玩具を得られる。
【図面の簡単な説明】
【００１７】
【図１】走行玩具システムの実施方法を示した説明図である。（実施例１)
【図２】走行玩具システムの実施方法を示した説明図である。（実施例２)
【図３】走行玩具システムの実施方法を示した説明図である。（実施例３)
【図４】走行玩具システムの実施方法を示した説明図である。（実施例４)
【図５】走行玩具システムの実施方法を示した説明図である。（実施例５)
【符号の説明】
【００１８】
B-0    走路用電源床全体
B-1    走路用絶縁体帯部分
B-2    走路用電極板部分
B-3    走路用電極板部分
C-0    手元操作コントロールボックス全体
C-1    手元操作電圧可変レバー
C-2    手元操作操舵スイッチ
C-3    手元操作昇降スイッチ
P-0    走行体全体
P-1    走行体駆動プロペラユニット
P-2    走行体駆動モーターユニット
P-3    走行体集電子兼用タイヤおよび脚柱ユニット
P-4    走行体集電子兼用タイヤおよび脚柱ユニット
P-5    走行体受信機用およびサーボ制御装置用電池ユニット
P-6    走行体受信機本体ユニット
P-7    走行体サーボ制御装置ユニット
P-8    走行体可動棒ユニット
P-9    走行体サーボ制御装置ユニット
P-10   走行体操舵輪ユニット
【図１】
0003110872.tif 000003
【図２】
0003110872.tif 000004
【図３】
0003110872.tif 000005
【図４】
0003110872.tif 000006
【図５】
0003110872.tif 000007
(57)【要約】【課題】従来抱っこ紐では、背あてや装着用ベルトがあるため、小さくたたむことが出来なかった。そこで、本考案は携帯しやすくクッション性のある乳幼児用抱っこ紐を提供できるようにし、紐状の物（２）を付属させることにより携帯時にたたまれた状態を保持することを課題とする。【解決手段】１枚の布を蛇腹状に縫い、肩部分（１）と側方部（３）に綿を入れることによってクッション性を持たし、装着時は布部分を２本のリング（４）に通した後、適宜広げてポーチ部分を形成して、このポーチ部分に乳幼児の体を入れることによって使用することができる。この物品は、右肩掛け用と左肩掛け用との双方に用いることができる。携帯時は伸張した状態で側面部が両側から外側から内側に向かってそれぞれ所定の布幅で蛇腹状に折り畳み付属の紐状の物（２）で畳まれた状態を保持することができる。【選択図】「図１」「図２」「図３」「図４」
0003110878.tif 000002
【実用新案登録請求の範囲】
【請求項１】
１枚の布を使って蛇腹状に折り、両端と使用者の肩にあたる部分に綿を入れることによってクッション性を持った、乳幼児を様々な姿勢で保持できる乳幼児用抱っこ紐にし、布と一方の端に取り付けた２本のリングと畳んだ時に縛るための紐によって構成されている。その布は蛇腹状に折られ一方の端に２本のリング状のものを取り付けてあり、使用者の肩にあたる部分と布両側側方部分の側端から一定の範囲が袋状となって綿等が封入されている。肩にあたる部分を蛇腹上の状態で折り２本のリングを通し縫い付け一定の幅に固定した部分に携帯時に縛るための紐などを付属させた物である。本物品は、肩に掛け、布部分を２本のリングに通した後、適宜広げてポーチ部分を形成して、このポーチ部分に乳幼児の体を入れることによって使用される。この物品は、右肩掛け用と左肩掛け用との双方に用いることができる。
【考案の詳細な説明】
【技術分野】
【０００１】本考案は、乳幼児を様々な姿勢で保持できる乳幼児用抱っこ紐に関するものである。
【背景技術】
【０００２】従来の抱っこ紐では装着が難しく、携帯に不便であった。
【考案が解決しようとする課題】
【０００３】従来抱っこ紐では、背あてや装着用ベルトがあるため、小さくたたむことが出来なかった。そこで、本発明は携帯に便利でクッション性がある乳幼児用抱っこ紐を提供できるようにし、また付属している紐状のもので縛ることにより携帯時に畳まれた形を保持することを課題とする。
【課題を解決するための手段】
【０００４】上記課題を解決するために、請求項１記載の乳幼児用襷がけ抱っこ紐は蛇腹状に折られた一方の端に２本のリング状のもの（４）を取り付けてあり、使用者の肩にあたる部分（１）と布両側側方部分（３）の側端から一定の範囲が袋状となって綿等が封入されている。肩にあたる部分（１）を蛇腹上の状態で折り２本のリング状のもの（４）を通し縫い付け一定の幅に固定した部分に縛るための紐状の物（２）を付属させた物である。布両側側方部分（３）と装着者の肩にあたる部分（１）に綿を入れることによってクッション性を持った抱っこ紐を製作することを可能とし、紐状の物（２）を付属させることによって携帯時に畳まれた形を保持できることにある。
【考案の効果】
【０００５】本考案は次のような効果を奏する。請求項１に記載されている考案は、伸張した状態で側面部を両側とも外側から内側に向かってそれぞれ所定の布幅で蛇腹状に折り畳み、付属の紐状の物（２）で携帯時に畳まれた形を保持することできる。また両側側方部分（３）と装着者肩にあたる部分（１）に綿を入れることによりクッション性を持たせた抱っこ紐を提供することができる。
【考案を実施するための最良の形態】
【０００６】１枚の布を蛇腹上に折りたたみ２本のリング（４）を通し、紐状の物（２）を付属させた抱っこ紐とする。
【実施例】
【０００７】１枚の布を蛇腹上に折りたたみ使用者の肩にあたる部分（１）と布両側側方部分（３）の側端から一定の範囲を袋状とし綿等を封入する。肩にあたる部分（１）を蛇腹上の状態で折り２本のリング（４）を通し縫い付け、一定の幅に固定した部分に縛るための紐状の物（２）を付属させる。
【産業上の利用可能性】
【０００８】購入者の趣味による選択によって好きな生地・柄で携帯時に畳まれた形を保持できる抱っこ紐を製作することが出来る。
【図面の簡単な説明】
【０００９】
【図１】      乳幼児用襷がけ抱っこ紐本体の正面図である。
【図２】      乳幼児用襷がけ抱っこ紐本体の裏面図である。
【図３】      一実施形態を示す斜視図である。
【図４】      一実施形態を示す斜視図である
【符号の説明】
【００１０】        １  は肩部分
２  は紐状の物
３  は側方部
４  はリング
５  は本体
【図１】
0003110878.tif 000003
【図２】
0003110878.tif 000004
【図３】
0003110878.tif 000005
【図４】
0003110878.tif 000006
【手続補正書】
【提出日】平成17年3月2日(2005.3.2)
【手続補正１】
【補正対象書類名】実用新案登録請求の範囲
【補正対象項目名】全文
【補正方法】変更
【補正の内容】
【実用新案登録請求の範囲】
【請求項１】
乳幼児を抱っこするための蛇腹上に折ってある１枚の布において
（１）使用者の肩に当たる部分と布両側側方部分の側端から一定の範囲が袋状となって綿等が封入されている。
（２）一方の端に２本のリングを通し縫い付け一定の幅に固定した部分に携帯時に畳まれた状態を保持するための紐状のものを付属させた物である。
以上からなる乳幼児用抱っこ紐。
(57)【要約】      （修正有）【課題】下着のブラジャーに、このマイナスイオン及遠赤外線を放射する布地を、縫製加工したパットを入れることにより、乳房周辺からのマイナスイオン及遠赤外線効果により、細胞や血液が活性され、乳房の毛細血管の血流もよくなり、血液もサラサラになる。【解決手段】ウレタン製ブラジャーパットに、マイナスイオン及遠赤外線を放射する布地を縫製加工し、使用者に直接、マイナスイオン及遠赤外線を放射する布地を、目に見えさせる。【選択図】図２
0003110859.tif 000002
【実用新案登録請求の範囲】
【請求項１】
ウレタン製ブラジャーパットに、マイナスイオン及び遠赤外線を放射する布地を、縫製加工したブラジャーパットを商品にする技術。
マイナスイオン及び遠赤外線を放射する布地を、従２ｃｍ、横８ｃｍに切断し．ブラジャーパット三面に縫製加工を施す。
【考案の詳細な説明】
【技術分野】
【０００１】本発明は、マイナスイオン及び遠赤外線を放射する鉱石の粉末を、布状に加工したシートを、ブラジャーパットに縫製加工したものである。
〔背景技術〕【０００２】近年、マイナスイオンを発生させる天然鉱石、例えば、トルマリンを用いた各種の製品が製造、販売されている。
このトルマリンを用いたネックレスとして、製品化して血液の流れを活性させて、肩こりを防止するものや、繊維にトルマリンの粉末を混入した衣類などがある。
〔考案の開示〕
〔考案が解決しようとする課題〕【０００３】特に、最近では鉱石の粉末を、混入させた生地やシートを用いて下着やポロシャツを販売されている。しかしながら、この技術をもっているのは大手のアパレルメーカなどです。しかし、中小、零細、個人企業にはなし得ない技術である。しかも、マイナスイオン及遠赤外線を発生させ、血行を良くし、血液をサラサラにする製品の要求が高まっているのも事実である。
〔課題を解決するための手段〕【０００４】そこで、マイナスイオン及遠赤外線を放射する布地を使用し、下着として局部だけ照射するものが考案されていなかったのです。
本発明の請求項１記載のウレタン製ブラジャーパットに、マイナスイオン及遠赤外線を放射する布地を縫製加工する方法を考案し、使用者に直接、マイナスイオン及遠赤外線を放射する布地を、目に見えるのが特徴としている。
〔考案の効果〕【０００５】下着のブラジャーに、このマイナスイオン及遠赤外線を放射する布地を、縫製加工したパットを入れることにより、乳房周辺からマイナスイオン及遠赤外線効果により、細胞や血液が活性され、乳房の毛細血管の血流もよくなり、血液もサラサラになりますので、乳房での血流のシコリをなくし．婦人の生活習慣病であります、乳ガンの予防、冷え症、肩こりに対して有効となる。
〔考案を実施するための最良の形態〕【０００６】現在、モニターとして家族、親類．友人の対象者となる女性に使用してもらっている。
〔実施例〕【０００７】このパットを使用することにより好転反応が見られ、身体があたたかくなった、良く寝れるようになった、便通が良くなったとのデーターが取れた。
〔産業上の利用可能性〕【０００８】女性の生活習慣病（特に乳ガン）の予防改善に大いに役立つものである。
【図面の簡単な説明】
【０００９】〔図１〕
表面からあらわした図
〔図２〕
裏面からあらわした姿
【符号の説明】
【０００１０】▲１▼  ウレタン製ブラジャーパット
▲２▼  マイナスイオン及遠赤外線放射布地シート
▲３▼  従の長さ２ｃｍ
▲４▼  横の長さ８ｃｍ
【図１】
0003110859.tif 000003
【図２】
0003110859.tif 000004
【手続補正書】
【提出日】平成17年1月31日(2005.1.31)
【手続補正１】
【補正対象書類名】実用新案登録請求の範囲
【補正対象項目名】全文
【補正方法】変更
【補正の内容】
【実用新案登録請求の範囲】
【請求項１】
ウレタン製ブラジャーパットに、マイナスイオン及び遠赤外線を放射する布地を取付けたブラジャーパット。
【請求項２】
１に記載のブラジャーパットに、マイナスイオン及び遠赤外線を放射する布地を従２ｃｍ、横８ｃｍに裁断し、ブラジャーパット三面に縫製加工したのを特長とする、マイナスイオン及び遠赤外線放射ブラジャーパット。
【手続補正２】
【補正対象書類名】明細書
【補正対象項目名】０００９
【補正方法】変更
【補正の内容】
【０００９】
【図１】表面からあらわした図
【図２】裏面からあらわした姿
【手続補正３】
【補正対象書類名】明細書
【補正対象項目名】００１０
【補正方法】変更
【補正の内容】
【００１０】１．ウレタン製ブラジャーパット
２．マイナスイオン及遠赤外線放射布地シート
３．従の長さ  ２ｃｍ
４．横の長さ  ８ｃｍ
【手続補正４】
【補正対象書類名】図面
【補正対象項目名】全図
【補正方法】変更
【補正の内容】
【図１】
0003110859.tif 000005
【図２】
0003110859.tif 000006
(57)【要約】      （修正有）【課題】軽く、落としても割れず、仕事が容易で錆びたり腐ったりしない。【解決手段】野山や修理工場に山積みとされている環境に悪い廃タイヤを再製してゴム瓦を作成し屋根瓦に使用する【選択図】図２
0003110853.tif 000002
【実用新案登録請求の範囲】
【請求項１】
形や部品構造は従来の製品と全く同じ粘土瓦製品を廃タイヤを使用して再製するゴム瓦である
【考案の詳細な説明】
【考案の詳細な説明】
【０００１】［考案が解決しようとする課題］
従来の瓦は粘土を焼いて作った瓦ですがゴム瓦は廃タイヤを再製して作る製品であります。現在の粘土瓦は重量もあるし落とせば割れるし屋根を葺く時は大変難儀です。それに比べればゴム瓦は仕事はし易く落としても割れない。トタン板と比べれば、錆びない、腐らない、という利点があります。この地上より廃タイヤをなくす明るい環境の第１歩です。
【０００２】［課題を解決する為の手段］
ゴム瓦は第１に廃タイヤをなくす事にあります。野山に何万本ともわからぬ廃タイヤが山積みとされて捨ててある所に火をつけて何日も燃えている様子をテレビで見ました。これでは環境に悪いと思い、この廃タイヤをなくす方法はないものかと考えました。何処の修理工場やガソリンスタンドでも廃タイヤが山と積まれています。捨て切れない廃タイヤがみんな有効な資材になるのです。廃タイヤは年々増え続けるのです。これを少しでもおさえるのがゴム瓦の製造です。
【０００３】［考案の効果］
関西や宮城県の大地震で屋根瓦がさんざんな目にあいました。瓦は割れるし、滑り落ちるし、地震の最中に屋根に天幕を張り、雨漏りを止めている作業など見受けられました。粘土瓦はならびよくならべて所々より釘を打たないそうです。ですから震度６・７の大揺れでは番線がきれてすべり落ちたりするのです。番線も太いものは使われませんから細い番線ですから瓦の重みできれるのです。それに比べるとゴム瓦は釘を打っても割れることもないし、第１廃タイヤを地上よりなくす事が先決問題住宅の屋根を葺くには最も適した屋根材だと思います。資源は無限と言う位です。錆びない腐らないと言う資材で屋根を葺きましょう。ゴム瓦は桟の引かけもついているし、瓦の合わせ目に接着剤をぬり釘で打ちつけると雨漏りは絶対ありません。
【図面の簡単な説明】［図１］
表面図である
［図２］
裏面図である
［図３］
平面図である
【符号の説明】
１．ゴム瓦だから釘穴はいらない
２．１・２は桟に引かける爪
Ａ、Ｂは瓦は丸味があるから桟になつきよく低くしている
３．１・２を合わせたゴ厶瓦である
［選択図］  図３
【図１】
0003110853.tif 000003
【図２】
0003110853.tif 000004
【図３】
0003110853.tif 000005
【手続補正書】
【提出日】平成17年1月6日(2005.1.6)
【手続補正１】
【補正対象書類名】実用新案登録請求の範囲
【補正対象項目名】全文
【補正方法】変更
【補正の内容】
【実用新案登録請求の範囲】
【請求項１】
廃タイヤを再利用してなるゴム瓦。
(57)【要約】【課題】キルティングによる表地側の凹凸が見えないようにして、高級感を与えることができる掛け布団を提供することである。【解決手段】キルティング３を施された表地１を覆う上布５を取り付け、この上布５と表地１との間に隙間保持材６を介在させることにより、キルティング３による表地１の凹凸を隙間保持材６によって平滑にならし、上布５に凹凸が生じないように見栄えをよくして、掛け布団に高級感を与えることができるようにした。【選択図】図２
0003110813.tif 000002
【実用新案登録請求の範囲】
【請求項１】
キルティングで区画された表地と裏地の間に保温材を充填した掛け布団において、前記表地を覆う上布を取り付け、この上布と表地との間に隙間保持材を介在させたことを特徴とする掛け布団。
【請求項２】
前記上布と表地とを、周縁以外の部分の少なくとも１箇所で結合する結合部を設けた請求項１に記載の掛け布団。
【請求項３】
前記結合部を、前記上布を表地から浮かせて結合するものとした請求項２に記載の掛け布団。
【考案の詳細な説明】
【技術分野】
【０００１】
本考案は、キルティングで区画された表地と裏地の間に保温材を充填した掛け布団に関する。
【背景技術】
【０００２】
掛け布団には、表地と裏地にキルティングを施し、このキルティングで区画された表地と裏地の間に羽毛や綿等の保温材を充填したものがある。この種の掛け布団は、表地と裏地の間を移動しやすい羽毛等を保温材とする羽毛布団に多く採用されている。
【考案の開示】
【考案が解決しようとする課題】
【０００３】
上述した表地と裏地にキルティングを施した羽毛布団等の掛け布団は、キルティングによって表地に凹凸が生じるので、表地が露出する通常の布団カバーを用いる場合は勿論、表地も覆う袋式の布団カバーを用いても、布団カバーの生地が表地の凹凸に沿ってやはり凹凸形状を呈し、特に、ホテルや旅館等で使用されるものでは見栄えが悪くなって、高級感を与えることができないという問題がある。
【０００４】
そこで、本考案の課題は、キルティングによる表地側の凹凸が見えないようにして、高級感を与えることができる掛け布団を提供することである。
【課題を解決するための手段】
【０００５】
上記の課題を解決するために、本考案は、キルティングで区画された表地と裏地の間に保温材を充填した掛け布団において、前記表地を覆う上布を取り付け、この上布と表地との間に隙間保持材を介在させた構成を採用した。
【０００６】
すなわち、表地を覆う上布を取り付け、この上布と表地との間に隙間保持材を介在させることにより、表地の凹凸を隙間保持材によって平滑にならし、上布に凹凸が生じないように見栄えをよくして、掛け布団に高級感を与えることができるようにした。なお、隙間保持材としては、羽毛、合繊羽毛、綿、スポンジ等の軽くて柔軟な材料を用いることができる。また、別途の隙間保持材を用いずに、表地をメッシュ生地等として、表地から上布との間に出る保温材を隙間保持材として用いることもできる。
【０００７】
前記上布と表地とを、周縁以外の部分の少なくとも１箇所で結合する結合部を設けることにより、上布の過度の浮き上がりを防止して、掛け布団の取り扱いを容易にすることができる。
【０００８】
前記結合部を、前記上布を表地から浮かせて結合するものとすることにより、結合部でも表地と上布の間に隙間を確保し、より見栄えをよくすることができる。
【考案の効果】
【０００９】
本考案の掛け布団は、キルティングを施された表地を覆う上布を取り付け、この上布と表地との間に隙間保持材を介在させたので、表地の凹凸を隙間保持材によって平滑にならし、上布に凹凸が生じないように見栄えをよくして、掛け布団に高級感を与えることができる。
【００１０】
前記上布と表地とを、周縁以外の部分の少なくとも１箇所で結合する結合部を設けることにより、上布の過度の浮き上がりを防止して、掛け布団の取り扱いを容易にすることができる。
【００１１】
前記結合部を、前記上布を表地から浮かせて結合するものとすることにより、結合部でも表地と上布の間に隙間を確保し、より見栄えをよくすることができる。
【考案を実施するための最良の形態】
【００１２】
以下、図面に基づき、本考案の実施形態を説明する。この掛け布団は、図１および図２に示すように、表地１と裏地２にキルティング３が施され、キルティング３の襠３ａで区画された表地１と裏地２の間に羽毛の保温材４を充填した羽毛布団であり、表地１を覆う上布５が取り付けられ、上布５と表地１との間には羽毛の隙間保持材６が介在している。上布５は周縁を縫い付けることにより羽毛布団に取り付けられ、周縁以外の４箇所で表地１との結合部７が設けられている。
【００１３】
前記上布５と表地１の結合部７は、図３に示すように、それぞれ上布５と表地１に一端を縫い付けられた一対の布製テープ７ａで形成され、これらのテープ７ａの先端同士を縫い合わせることにより、上布５が表地１から浮くように結合されている。したがって、図２に示したように、キルティング３による表地１の凹凸が、結合部７も含めて隙間保持材６によって平滑にならされ、上布５に凹凸が生じないようになっている。
【００１４】
上述した実施形態では、表地と裏地の間に充填した保温材を羽毛とし、上布と表地との間に介在させた隙間保持材も羽毛としたが、保温材としては、羽毛のほかに綿等の一般的な布団用保温材を用いることができ、隙間保持材としては、合繊羽毛、綿、スポンジ等の軽くて柔軟な材料も用いることができる。
【００１５】
また、上述した実施形態では、上布と表地の結合部を４箇所とし、一対の布製テープで上布を表地から浮かすように結合したが、この結合部の数は、掛け布団の大きさ等に応じて１箇所以上に任意に設定でき、上布を直接表地に縫い付けて結合することもできる。
【００１６】
さらに、上述した実施形態では、表地と裏地を襠で区画するキルティングを施したが、表地と裏地を襠なしで直接キルティングしてもよい。
【図面の簡単な説明】
【００１７】
【図１】掛け布団の実施形態を示す一部切欠き平面図
【図２】図１の縦断面図
【図３】図１の結合部を拡大して示す斜視図
【符号の説明】
【００１８】
１  表地
２  裏地
３  キルティング
３ａ  襠
４  保温材
５  上布
６  隙間保持材
７  結合部
７ａ  テープ
【図１】
0003110813.tif 000003
【図２】
0003110813.tif 000004
【図３】
0003110813.tif 000005